(57)【要約】【課題】凹所に配置されるＦＲＰ体とヘッド本体との密着性に優れたアイアン型ゴルフクラブヘッドを提供することを目的とする。【解決手段】ヘッド本体１０の後面に凹所２０が設けられている。奥面２１のリブ３０，３０間に樹脂層１５が貼着されている。樹脂層１５の素体及びＦＲＰ体１６の素体並びにバルーン４０を凹所２０内に挿入した後、アイアン型ゴルフクラブヘッド１０を成形用の金型に装着し、開口１７に挿通された空気口４１を通して空気等の気体をバルーン４０内に供給して成形する。【選択図】図１
2005160948.tif 000002
【特許請求の範囲】
【請求項１】
フェース部の背後に凹所が設けられているヘッド本体と、該凹所に設けられたＦＲＰ体とを有するアイアン型ゴルフクラブヘッドにおいて、
該ＦＲＰ体は、中空形状であり、且つ該凹所内においてバルーン成形されたものであり、
該ゴルフクラブヘッドのトウ部又はバック部にバルーンの取出用開口が設けられ、該開口が蓋材で閉鎖されていることを特徴とするアイアン型ゴルフクラブヘッド。
【請求項２】
請求項１において、ゴルフクラブヘッドのフェース部の背面に複数条のリブが上下方向に延設されていることを特徴とするアイアン型ゴルフクラブヘッド。
【請求項３】
請求項２において、該リブ同士の間に樹脂層が配置されていることを特徴とするアイアン型ゴルフクラブヘッド。
【請求項４】
請求項３において、該樹脂層はＦＲＰ又はエラストマー層であることを特徴とするアイアン型ゴルフクラブヘッド。
【請求項５】
請求項３又は４において、該樹脂層はＦＲＰ体よりも高比重であることを特徴とするアイアン型ゴルフクラブヘッド。
【請求項６】
請求項３ないし５のいずれか１項において、前記樹脂層は該ヘッド本体と前記ＦＲＰ体との間に配置されていることを特徴とするアイアン型ゴルフクラブヘッド。
【発明の詳細な説明】
【技術分野】
【０００１】
本発明はゴルフボールを打つためのゴルフクラブのヘッドに係り、特にアイアン型ゴルフクラブヘッドに関する。詳しくは、本発明は、後面から凹陥する凹所（キャビティ）を有したヘッド本体と、この凹所に設けられたＦＲＰ体とを有するアイアン型ゴルフクラブヘッドに関する。
【背景技術】
【０００２】
アイアン型ゴルフクラブヘッドは、従来はステンレススチール、鋳鉄等の金属材料のみから構成されていたが、近年、ヘッド本体の背後側にＦＲＰ（繊維強化合成樹脂）材料を配材したものも市販されるようになってきている。
【０００３】
例えば、特開昭６２−９７５７０号公報には、打球面の裏面側にＣＦＲＰ（カーボン繊維強化合成樹脂）層を付着させて打球感を高めるようにしたアイアンクラブが記載されている。
【０００４】
また、特開昭６３−１９１６９号公報には、このＣＦＲＰ層を打球面の裏面側に付着させ、且つ該ＣＦＲＰ層を合成樹脂製バックアップ部材で覆うことが記載されている。この特開昭６３−１９１６９号公報の第５図には、キャビティの入口部分もバックアップ部材で閉鎖してＦＲＰ部材を中空構造としたアイアンクラブヘッドが記載されている。
【０００５】
第５図は、この特開昭６３−１９１６９号公報に記載の第５図である。このアイアンクラブヘッドのヘッド本体１は、打球面部２の背後側に凹部４を有し、ソール面部３の後縁から立ち上り部８が立設されている。
【０００６】
凹部４の内面に繊維強化部材５が密着状態で添設されている。繊維強化部材５は中空殻構造である。なお、同号公報には、この中空殻構造の繊維強化部材５を凹部４内にどのようにして配置、形成するかについての記載はない。この繊維強化部材５を覆い隠すように、凹部４に合成樹脂素材を充填し、硬化処理を施すことによりバックアップ部材６を形成する（同号公報第５頁左上欄ないし左下欄）。
【特許文献１】特開昭６２−９７５７０号公報
【特許文献２】特開昭６３−１９１６９号公報
【発明の開示】
【発明が解決しようとする課題】
【０００７】
上記の通り、特開昭６３−１９１６９号公報には、中空殻構造の繊維強化部材５を凹部４内にどのようにして配置、形成するかについての記載はない。
【０００８】
また、同号公報のヘッドにあっては、ヘッド本体１と繊維強化部材５との間に空隙が生じ易い。このような空隙があると、ゴルフボールを打ったショット時に不規則な振動が生じたりして打感が悪くなる。
【０００９】
本発明は、凹所に配置されるＦＲＰ体とヘッド本体との密着性に優れたアイアン型ゴルフクラブヘッドを提供することを目的とする。
【課題を解決するための手段】
【００１０】
本発明（請求項１）のアイアン型ゴルフクラブヘッドは、フェース部の背後に凹所が設けられているヘッド本体と、該凹所に設けられたＦＲＰ体とを有するアイアン型ゴルフクラブヘッドにおいて、該ＦＲＰ体は、中空形状であり、且つ該凹所内においてバルーン成形されたものであり、該ゴルフクラブヘッドのトウ部又はバック部にバルーンの取出用開口が設けられ、該開口が蓋材で閉鎖されていることを特徴とするものである。
【００１１】
請求項２のアイアン型ゴルフクラブヘッドは、請求項１において、ゴルフクラブヘッドのフェース部の背面に複数条のリブが上下方向に延設されていることを特徴とするもんである。
【００１２】
請求項３のアイアン型ゴルフクラブヘッドは、請求項２において、該リブ同士の間に樹脂層が配置されていることを特徴とするものである。
【００１３】
請求項４のアイアン型ゴルフクラブヘッドは、請求項３において、該樹脂層はＦＲＰ又はエラストマー層であることを特徴とするものである。
【００１４】
請求項５のアイアン型ゴルフクラブヘッドは、請求項３又は４において、該樹脂層はＦＲＰ体よりも高比重であることを特徴とするものである。
【００１５】
請求項６のアイアン型ゴルフクラブヘッドは、請求項３ないし５のいずれか１項において、前記樹脂層は該ヘッド本体と前記ＦＲＰ体との間に配置されていることを特徴とするものである。
【発明の効果】
【００１６】
かかる本発明のアイアン型ゴルフクラブヘッドにあっては、ＦＲＰ体が凹所内でバルーン成形されたものであるため、ＦＲＰ体とヘッド本体とが十分に密着しており、両者の間に空隙が生じることが防止される。
【００１７】
本発明では、ゴルフクラブヘッドのトウ部又はバック部にバルーンの取出用開口が設けられており、この開口が蓋材で閉鎖されている。このトウ部又はバック部は、ショットに際して地面と当ることがないので、蓋材に衝撃が加えられず、蓋材の剥離が防止される。
【００１８】
本発明では、フェース部の背面に上下方向にリブを設けてもよい。これにより、フェース部の剛性を高めて打感を変えることができる。このリブを複数条設けた場合にはリブ同士の間に樹脂層を配置し、リブ間に生じた凹みを小さくするか、又は全く無くすことが好ましい。これにより、フェース部背面に重なるＦＲＰ体とフェース部背面との隙間を確実に解消することができる。
【００１９】
この樹脂層はＦＲＰであってもよく、エラストマーであってもよい。
【００２０】
また、樹脂層は高比重樹脂層であってもよい。この高比重樹脂層を設けることにより、ショット時の振動吸収特性が向上する。また、重心を深くしてショットを安定化させることができる。さらに、高比重樹脂層によりアイアン型ゴルフクラブヘッドの重量調整を行うこともできる。
【発明を実施するための最良の形態】
【００２１】
以下、図面を参照して本発明の実施の形態について説明する。第１図は実施の形態に係るアイアン型ゴルフクラブヘッドの分解斜視図、第２図は第１図のII−II線断面図、第３図はこのゴルフクラブヘッドの正面図と縦断面図、第４図はＦＲＰ体の成形方法を示す断面図である。
【００２２】
このアイアン型ゴルフクラブヘッドのヘッド本体１０は、ボールを打つためのフェース部１１を有し、またこのフェース部１１の下縁に連なるようにソール部１２を有する。１３はトウ部を示す。ヘッド本体１０のホゼル部１４にシャフト（図示略）が装着される。
【００２３】
このヘッド本体１０はステンレス等の金属よりなる。なお、フェース部１１をチタン、チタン合金等とし、他の部分をステンレス等としてもよい。
【００２４】
ヘッド本体１０は、後面から凹陥する凹所２０を有しており、該凹所２０内に、ＦＲＰ体１６がバルーン成形されている。
【００２５】
この凹所２０の奥面２１は、フェース部１１の背面である。凹所２０の周壁面は、ヘッド本体１０の後面から立ち下って該奥面２１に連なるものであり、第３図の通り、ソール側の周壁面２２、上縁側の周壁面２３、トウ側の周壁面２４及びヒール側の周壁面２５よりなる。
【００２６】
これらの周壁面２２〜２５と奥面２１との交叉隅部は、いずれも滑らかに凹に湾曲した湾曲面よりなる。この湾曲面の曲率半径は、この交叉隅部においてヘッド本体１０とＦＲＰ体１６との間に隙間が発生しないようにするために、１．５〜８０ｍｍ特に２〜６０ｍｍであることが好ましい。
【００２７】
凹所２０の入口側（ヘッド本体１０の後面側）は、ソール部１２から立ち上がる立上部２６が設けられ、これにより、窄まった形状となっている。
【００２８】
この実施の形態では、奥面２１（フェース部１１の背面）に、上下方向に延在する３条のリブ３０が設けられている。各リブは上縁側の周壁面２３からソール側の周壁面２２にまで延在している。このリブ３０を設けることにより、ゴルフクラブヘッドの打感を高めることができる。
【００２９】
リブ３０，３０間に樹脂層１５が配置されている。
【００３０】
この樹脂層１５の厚みはリブ３０の高さと同等となっている。これにより、リブ３０，３０間の間の凹んだ領域が樹脂層１５で埋められ、トウ側のリブ３０からヒール側のリブ３０まで略平坦となっている。
【００３１】
この樹脂層１５はＦＲＰよりなってもよく、弾性を有するエラストマーであってもよく、高比重樹脂であってもよい。高比重樹脂層は、タングステン又はタングステン合金等の比重１０以上の高比重金属粉末を配合したエポキシ、ナイロン、ポリエステル、ウレタン、ＡＢＳ、熱可塑性エラストマー等の樹脂材料を用いて構成されるのが好ましい。この高比重樹脂層の比重は１０〜１７特に１０〜１４程度が好適である。高比重樹脂は炭素繊維や金属繊維等で補強されていてもよい。
【００３２】
この樹脂層１５を設けることにより、ＦＲＰ体１６とフェース部背面との間に隙間が生じることが防止される。また、樹脂層１５によって、ショット時の振動が吸収されると共に、これを高比重樹脂とした場合には、アイアン型ゴルフクラブヘッドの重量調整が容易となる。
【００３３】
凹所２０の内面に沿うようにして前記ＦＲＰ体１６が設けられている。このＦＲＰ体１６は、樹脂層１５を覆うと共に、周壁面２２〜２５を覆い、さらに、凹所２０の入口部分を閉鎖する中空殻形状である。ヘッド本体１０の後面にあっては、このＦＲＰ体１６は、該ヘッド本体後面と略面一状になっている。
【００３４】
このＦＲＰ体１６は、凹所２０内においてバルーン成形されたものである。このバルーン成形用のバルーンの取り出しを行うための開口１７がヘッド本体１０のトウ部１３に設けられている。開口１７の周囲は凹段部１８となっており、この凹段部１８に嵌合する蓋材１９によって開口１７が閉鎖されている。蓋材１９は例えば接着剤や粘着剤、両面テープ、あるいはろう付けによってヘッド本体１０に固着される。蓋材１９に図示の通り爪を設け、この爪を開口１７の裏縁に係止させてもよい。なお、この実施の形態では、蓋材１９の裏当材１９Ａに爪を設けている。
【００３５】
バルーン成形を行うには、まず、リブ３０，３０間に樹脂層１５のシート状の素体を挿入し、奥面２１に重ね合わせる。このシート状の素体は、１枚物であってもよいが、薄いフィルム状のものを複数枚積層したものが好適である。この薄いフィルム状のものを複数枚積層したものは、柔軟に変形し易く、凹所２０の内面に沿わせ易い。
【００３６】
次いで、凹所２０内にＦＲＰ体１６の素体を挿入する。このＦＲＰ体１６の素体は、複数の片状体よりなり、各々高比重樹脂層１５の素体あるいは周壁面２２〜２５に重なるように配置される。開口１７を通してナイロン等の袋（バルーン）４０を配置した後、凹所２０の入口部分にもＦＲＰ体１６のための層状素体を配置する。なお、第４図の通り、バルーン４０の空気口４１は、開口１７を通して外部に引き出しておく。
【００３７】
ＦＲＰ体１６の素体は、未硬化の繊維強化合成樹脂よりなる。この繊維としては炭素繊維が好適であるが、これに限定されない。素体は、プリプレグシートが好適であり、特に繊維を一方向とした一方向プリプレグシートが好適であるが、これに限定されない。なお、ＦＲＰ体１６の後面を構成する部分については、最外層に炭素繊維クロス等の織布を配材し、ＦＲＰ体１６の後面に網目模様が現れるようにするのが好ましい。
【００３８】
ＦＲＰ体１６の素体及び袋（バルーン）４０を凹所２０内に配置した後、アイアン型ゴルフクラブヘッド１０をバルーン成形用の金型５０に装着し、空気等の気体を袋４０内に供給して袋４０を膨張させる。これにより、樹脂層１５の素体が奥面２１に押し付けられると共に、ＦＲＰ体１６の素体が樹脂層１５の素体、周壁面２２〜２５及び金型内面に密着する。次いで、金型を加熱して各素体を硬化させる。その後、脱型する。脱型後、袋４０を開口１７を通して引き抜き、次いで該開口１７を閉鎖するように段部１８に蓋材１９を固着させる。
【００３９】
このバルーン成形（袋を用いたブロー成形）により、樹脂層１５及びＦＲＰ体１６が奥面２１と周壁面２２〜２５との交叉隅部に密着したアイアン型ゴルフクラブヘッドが製造される。
【００４０】
このように構成されたアイアン型ゴルフクラブヘッドは、ＦＲＰ体１６がヘッド本体１０の内面に密着しており、打感が良好である。また、蓋材１９がトウ部に配置されているので、ショット時に蓋材１９が地面に当ることがない。そのため、蓋材１９が剥がれることなく、耐久性に優れる。
【００４１】
上記実施の形態では開口１７をトウ部に設けているが、第６図のようにバック部に設けてもよい。
【００４２】
また、第７図のように、蓋材１９の裏面にゴム、エラストマーなどの弾性体１９Ｂを固着し、この弾性体１９Ｂを開口１７や段部１８に嵌合させて蓋材１９を固定してもよい。このようにすれば、弾性体１９Ｂが振動吸収効果を発揮する。
【図面の簡単な説明】
【００４３】
【図１】実施の形態に係るアイアン型ゴルフクラブヘッドの分解斜視図である。
【図２】図１のII−II線断面図である。
【図３】（ａ）図はゴルフクラブヘッドの正面図、（ｂ），（ｃ）図は（ａ）図のＢ−Ｂ線、Ｃ−Ｃ線断面図である。
【図４】バルーン成形の説明図である。
【図５】従来のアイアン型ゴルフクラブヘッドの断面図である。
【図６】別の実施の形態に係るゴルフクラブヘッドの斜視図である。
【図７】蓋材の別の取付構造を示す断面図である。
【符号の説明】
【００４４】
１０  アイアン型ゴルフクラブヘッド
１１  フェース部
１２  ソール部
１４  ホゼル部
１５  樹脂層
１６  ＦＲＰ体
１７  開口
２０  凹所
２１  奥面
２２〜２５  周壁面
３０  リブ
４０  バルーン（袋）
４１  空気口
５０  金型
【図１】
2005160948.tif 000003
【図２】
2005160948.tif 000004
【図３】
2005160948.tif 000005
【図４】
2005160948.tif 000006
【図５】
2005160948.tif 000007
【図６】
2005160948.tif 000008
【図７】
2005160948.tif 000009